【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
調整を自動的に処理する方法において、
購入者からの販売者への支払を受領する段階と、
前記購入者に関する購入者の特定情報を、前記販売者から受領する段階であって、前記購入者の特定情報が、前記販売者への未払いの少なくとも１つの請求書と、少なくとも１つのビジネス規則とを含む、受領段階と、
前記支払と前記少なくとも１つの請求書とを比較するのに、前記ビジネス規則を使用する段階と、
前記ビジネス規則の基準内で、前記支払が、前記未払いの少なくとも１つの請求書とマッチングしたときに、前記支払を処理する段階と、を含む処理方法であって、
前記ビジネス規則は、購入者を特定するものであり、前記ビジネス規則は、前記購入者に対して前記販売者によって確定されるものであり、
前記ビジネス規則は、前記支払及び前記請求書の金額において、購入者に特定される数的な閾値差である、処理方法。
【請求項２】
前記ビジネス規則は、前記請求書に対する購入者への特定の値引きである請求項１に記載の方法。
【請求項３】
前記ビジネス規則は、前記請求書の総額よりも少ない支払が前記購入者に許容される購入者への特定な決定である請求項１に記載の方法。
【請求項４】
前記受領段階の前に前記請求書に関する調整を受領する段階と、
前記ビジネス規則を使用する前に前記請求書に前記調整を使用する段階と、をさらに含む請求項１に記載の方法。
【請求項５】
前記ビジネス規則の基準内で、前記支払が前記少なくとも１つの未払い請求書にマッチングしないとき、前記支払を販売調整文書生成器に送信する段階を、さらに含む請求項１に記載の方法。
【請求項６】
前記支払が前記少なくとも１つの未払い請求書にマッチングしないことを前記販売者に通知するために、登録データを前記販売者に送信する段階を、さらに含む請求項５に記載の方法。
【請求項７】
前記処理が，アプリケーション・サーバープロバイダー（ＡＳＰ）によって実行される請求項１に記載の方法。
【請求項８】
前記処理が、金融機関でのソフトウェアアプリケーションで実行される請求項１に記載の方法。
【請求項９】
前記ソフトウェアアプリケーションは、ウェブベースである請求項８に記載の方法。
【請求項１０】
前記処理が、前記購入者及び前記販売者以外の他の団体にアウトソースされたソフトウェアアプリケーションで実行される請求項１に記載の方法。
【請求項１１】
前記ソフトウェアアプリケーションは、ウェブベースである請求項１０に記載の方法。
【請求項１２】
調整を自動的に処理するシステムにおいて、
購入者からの販売者への支払を受領し、かつ前記購入者に関する購入者の特定情報を前記販売者から受領する、ビジネスデータフィルタを含み、
ここで、前記購入者の特定情報は、前記販売者への少なくとも１つの未払いの請求書と、少なくとも１つのビジネス規則とを含み、前記ビジネス規則は、前記支払及び前記請求書の金額において、購入者に特定される数的な閾値差を含み、そして前記購入者に対して前記販売者によって確定され、
前記ビジネスデータフィルタは、前記ビジネス規則を、前記支払と前記少なくとも１つの未払いの請求書とを比較するのに使用し、前記ビジネス規則の基準内で、前記支払いが前記少なくとも１つの未払いの請求書とマッチングしたときに、前記支払いを処理する、システム。
【請求項１３】
前記ビジネス規則は、前記請求書に対する購入者への特定の値引きである請求項１２に記載のシステム。
【請求項１４】
前記ビジネス規則は、前記請求書の総額よりも少ない支払が前記購入者に許容される購入者への特定な決定である請求項１２に記載のシステム。
【請求項１５】
前記ビジネスデータフィルタは、請求書に関する調整を受領し、前記支払と前記少なくとも１つの請求書とを比較する前に前記請求書に前記調整を使用する請求項１２に記載のシステム。
【請求項１６】
前記ビジネスデータフィルタは、前記ビジネス規則の基準内で、前記支払が前記少なくとも１つの未払請求書にマッチングしないとき、前記支払を販売調整文書生成器に送信する請求項１２に記載のシステム。
【請求項１７】
前記ビジネスデータフィルタは、前記支払が前記少なくとも１つの未払請求書にマッチングしないことを前記販売者に通知するために、前記販売者に登録データを送信する請求項１６に記載のシステム。
【請求項１８】
前記処理が，アプリケーション・サーバープロバイダー（ＡＳＰ）によって実行される請求項１２に記載のシステム。
【請求項１９】
前記処理が、金融機関でのソフトウェアアプリケーションで実行される請求項１２に記載のシステム。
【請求項２０】
前記ソフトウェアアプリケーションは、ウェブベースである請求項１９に記載のシステム。
【請求項２１】
前記処理が、前記購入者及び前記販売者以外の他の団体にアウトソースされたソフトウェアアプリケーションで実行される請求項１２に記載のシステム。
【請求項２２】
前記ソフトウェアアプリケーションは、ウェブベースである請求項２１に記載のシステム。
【請求項２３】
購入者から販売者に行われる支払に関する調整を自動的に処理するシステムであって、
販売者におけるデータソースであって、購入者の支払調整を処理するときに使用するよう設定された購入者特定のビジネス規則のセットを含むデータソースと、
前記販売者から前記購入者の未払い請求書を受領し、かつ購入者からの支払を受領する、ビジネスデータフィルタであって、前記支払は調整を必要としているビジネスデータフィルタと、を含み、
ここで、前記ビジネスデータフィルタは、前記データソースから前記購入者特定のビジネス規則のセットを受領し、前記購入者特定のビジネス規則のセットを使用して前記支払を未払い請求書にマッチングさせることにより、前記支払を処理し、
前記ビジネス規則のセットは、前記購入者に対して前記販売者によって確定される、前記支払及び前記請求書の金額において購入者に特定される数的な閾値差を含む、システム。
【請求項２４】
前記ビジネス規則のセットは、前記請求書に対する購入者への特定の値引きを含む請求項２３に記載のシステム。
【請求項２５】
前記ビジネス規則のセットは、前記請求書の総額よりも少ない支払が前記購入者に許容される購入者への特定な決定を含む請求項２３に記載のシステム。
【請求項２６】
前記ビジネスデータフィルタは、請求書に関する調整を受領し、前記支払を処理する前に前記請求書に前記調整を使用する請求項２３に記載のシステム。
【請求項２７】
前記ビジネスデータフィルタは、前記ビジネス規則の基準内で、前記支払が前記少なくとも１つの未払請求書にマッチングしないとき、前記支払を販売調整文書生成器に送信する請求項２３に記載のシステム。
【請求項２８】
前記ビジネスデータフィルタは、前記支払が前記少なくとも１つの未払請求書にマッチングしないことを前記販売者に通知するために、前記販売者に登録データを送信する請求項２７に記載のシステム。
【請求項２９】
前記処理が，アプリケーション・サーバープロバイダー（ＡＳＰ）によって実行される請求項２３に記載のシステム。
【請求項３０】
前記処理が、金融機関でのソフトウェアアプリケーションで実行される請求項２３に記載のシステム。
【請求項３１】
前記ソフトウェアアプリケーションは、ウェブベースである請求項３０に記載のシステム。
【請求項３２】
前記処理が、前記購入者及び前記販売者以外の他の団体にアウトソースされたソフトウェアアプリケーションで実行される請求項２３に記載のシステム。
【請求項３３】
前記ソフトウェアアプリケーションは、ウェブベースである請求項３２に記載のシステム。
【請求項３４】
調整を自動的に処理する方法において、
購入者からの販売者への支払を受領する段階と、
前記購入者に関する購入者の特定情報を、前記販売者から検索する段階であって、前記購入者の特定情報は、前記販売者への少なくとも１つの未払い請求書と、少なくとも１つのビジネス規則とを含む、検索段階と、
複数の購入者用に使用するためのグローバルなビジネス規則を検索する段階であって、前記グローバルなビジネス規則は、前記支払いと前記請求書とをマッチングさせるパーセンテージの閾値を含む、検索段階と、
前記支払と前記少なくとも１つの請求書とを比較するために、前記購入者特定のビジネス規則と前記グローバルなビジネス規則とを使用する段階と、
前記購入者特定のビジネス規則及び前記グローバルなビジネス規則の基準内で、前記支払いが前記少なくとも１つの未払いの請求書とマッチングしたときに、前記支払を処理する段階と、備える方法。
【請求項３５】
前記購入者特定のビジネス規則は、前記請求書に対する購入者への特定の値引きである請求項３４に記載の方法。
【請求項３６】
前記購入者特定のビジネス規則は、前記請求書の総額よりも少ない支払が前記購入者に許容される購入者への特定な決定である請求項３４に記載の方法。
【請求項３７】
前記受領段階の前に前記請求書に関する調整を受領する段階と、
前記ビジネス規則を使用する前に前記請求書に前記調整を使用する段階と、をさらに含む請求項３４に記載の方法。
【請求項３８】
前記ビジネス規則の基準内で、前記支払が前記少なくとも１つの未払い請求書にマッチングしないとき、前記支払を販売調整文書生成器に送信する段階を、さらに含む請求項３４に記載の方法。
【請求項３９】
前記支払が前記少なくとも１つの未払い請求書にマッチングしないことを前記販売者に通知するために、登録データを前記販売者に送信する段階を、さらに含む請求項３８に記載の方法。
【請求項４０】
前記購入者特定のビジネス規則は、前記販売者によって設定される請求項３４に記載の方法。
【請求項４１】
前記グローバルなビジネス規則は、前記販売者によって設定される請求項３４に記載の方法。
【請求項４２】
前記購入者特定のビジネス規則及び前記グローバルなビジネス規則は、共に前記販売者によって設定される請求項３４に記載の方法。
【請求項４３】
前記販売者は、複数の異なった購入者に対して複数の異なった購入者特定のビジネス規則を確定させる請求項３４に記載の方法。
【請求項４４】
前記グローバルなビジネス規則は、前記販売者によって設定される請求項４３に記載の方法。
【請求項４５】
前記処理が，アプリケーション・サーバープロバイダー（ＡＳＰ）によって実行される請求項３４に記載の方法。
【請求項４６】
前記処理が、金融機関でのソフトウェアアプリケーションで実行される請求項３４に記載の方法。
【請求項４７】
前記ソフトウェアアプリケーションは、ウェブベースである請求項４６に記載の方法。
【請求項４８】
前記処理が、前記購入者及び前記販売者以外の他の団体にアウトソースされたソフトウェアアプリケーションで実行される請求項３４に記載の方法。
【請求項４９】
前記ソフトウェアアプリケーションは、ウェブベースである請求項４８に記載の方法。
【請求項５０】
調整を自動的に処理するシステムであって、
購入者からの販売者への支払いを受領し、かつ前記販売者から前記購入者の購入者特定情報を受領する、ビジネスデータフィルタを含み、
ここで、前記購入者特定情報は、少なくとも１つの前記販売者への未払い請求書と、少なくとも１つの購入者特定のビジネス規則とを含み、
前記ビジネスデータフィルタは、複数の購入者用に使用するためのグローバルなビジネス規則をまた受領し、前記グローバルなビジネス規則は、前記支払いと前記請求書とをマッチングさせるパーセンテージの閾値を含み、
前記ビジネスデータフィルタは、前記購入者特定のビジネス規則と前記グローバルなビジネス規則とを、前記支払と前記少なくとも１つの未払いの請求書とを比較するのに使用し、前記購入者特定のビジネス規則及び前記グローバルなビジネス規則の基準内で、前記支払いが前記少なくとも１つの未払いの請求書とマッチングしたときに、前記支払いを処理する、システム。
【請求項５１】
前記購入者特定のビジネス規則は、請求書に対する購入者への特定の値引きである請求項５０に記載のシステム。
【請求項５２】
前記購入者特定のビジネス規則は、前記請求書の総額よりも少ない支払が前記購入者に許容される購入者への特定な決定である請求項５０に記載のシステム。
【請求項５３】
前記ビジネスデータフィルタは、請求書に関する調整を受領し、前記支払と前記少なくとも１つの請求書とを比較する前に、前記請求書に前記調整を使用する請求項５０に記載のシステム。
【請求項５４】
前記ビジネスデータフィルタは、前記ビジネス規則の基準内で、前記支払が前記少なくとも１つの未払請求書にマッチングしないとき、前記支払を販売調整文書生成器に送信する請求項５０に記載のシステム。
【請求項５５】
前記ビジネスデータフィルタは、前記支払が前記少なくとも１つの未払請求書にマッチングしないことを前記販売者に通知するために、前記販売者に登録データを送信する請求項５４に記載のシステム。
【請求項５６】
前記購入者特定のビジネス規則は、前記販売者によって設定される請求項５０に記載のシステム。
【請求項５７】
前記グローバルなビジネス規則は、前記販売者によって設定される請求項５０に記載のシステム。
【請求項５８】
前記購入者特定のビジネス規則及び前記グローバルなビジネス規則は、共に前記販売者によって設定される請求項５０に記載のシステム。
【請求項５９】
前記販売者は、複数の異なった購入者に対して複数の異なった購入者特定のビジネス規則を確定させる請求項５０に記載のシステム。
【請求項６０】
前記グローバルなビジネス規則は、前記販売者によって設定される請求項５９に記載のシステム。
【請求項６１】
前記処理が，アプリケーション・サーバープロバイダー（ＡＳＰ）によって実行される請求項５０に記載のシステム。
【請求項６２】
前記処理が、金融機関でのソフトウェアアプリケーションで実行される請求項５０に記載のシステム。
【請求項６３】
前記ソフトウェアアプリケーションは、ウェブベースである請求項６２に記載のシステム。
【請求項６４】
前記処理が、前記購入者及び前記販売者以外の他の団体にアウトソースされたソフトウェアアプリケーションで実行される請求項５０に記載のシステム。
【請求項６５】
前記ソフトウェアアプリケーションは、ウェブベースである請求項６４に記載のシステム。
【請求項６６】
購入者から販売者に行われる支払に関する調整を自動的に処理するシステムであって、
販売者におけるデータソースであって、購入者の支払調整を処理するときに使用するように設定された購入者特定のビジネス規則のセットを含むデータソースと、
前記販売者から前記購入者の未払い請求書を受領し、かつ購入者からの支払を受領する、ビジネスデータフィルタであって、前記支払は調整を必要としているビジネスデータフィルタと、を含み、
ここで、前記ビジネスデータフィルタは、複数の購入者用に使用するためのグローバルなビジネス規則を含み、前記グローバルなビジネス規則は、前記支払いと前記請求書とをマッチングさせるパーセンテージの閾値を含み、
前記ビジネスデータフィルタは、前記データソースから前記購入者特定のビジネス規則のセットを受領し、前記購入者特定のビジネス規則のセットと前記グローバルなビジネス規則とを使用して、前記支払を未払い請求書にマッチングさせることにより、前記支払を処理する、システム。
【請求項６７】
前記購入者特定のビジネス規則のセットは、請求書に対する購入者への特定の値引きを含む請求項６６に記載のシステム。
【請求項６８】
前記購入者特定のビジネス規則のセットは、前記請求書の総額よりも少ない支払が前記購入者に許容される購入者への特定な決定を含む請求項６６に記載のシステム。
【請求項６９】
前記ビジネスデータフィルタは、請求書に関する調整を受領し、前記支払を処理する前に、前記請求書に前記調整を使用する請求項６６に記載のシステム。
【請求項７０】
前記ビジネスデータフィルタは、前記ビジネス規則の基準内で、前記支払が前記少なくとも１つの未払請求書にマッチングしないとき、前記支払を販売調整文書生成器に送信する請求項６６に記載のシステム。
【請求項７１】
前記ビジネスデータフィルタは、前記支払が前記少なくとも１つの未払請求書にマッチングしないことを前記販売者に通知するために、前記販売者に登録データを送信する請求項７０に記載のシステム。
【請求項７２】
前記購入者特定のビジネス規則のセットの少なくとも１つは、前記販売者によって設定される請求項６６に記載のシステム。
【請求項７３】
前記グローバルなビジネス規則は、前記販売者によって設定される請求項６６に記載のシステム。
【請求項７４】
前記グローバルなビジネス規則及び前記購入者特定のビジネス規則のセットの少なくとも１つは、共に前記販売者によって設定される請求項６６に記載のシステム。
【請求項７５】
前記処理が，アプリケーション・サーバープロバイダー（ＡＳＰ）によって実行される請求項６６に記載のシステム。
【請求項７６】
前記処理が、金融機関でのソフトウェアアプリケーションで実行される請求項６６に記載のシステム。
【請求項７７】
前記ソフトウェアアプリケーションは、ウェブベースである請求項７６に記載のシステム。
【請求項７８】
前記処理が、前記購入者及び前記販売者以外の他の団体にアウトソースされたソフトウェアアプリケーションで実行される請求項６６に記載のシステム。
【請求項７９】
前記ソフトウェアアプリケーションは、ウェブベースである請求項７８に記載のシステム。
【請求項８０】
調整を自動的に処理する方法であって、
購入者からの販売者への支払を受領する段階と、
前記購入者に関する購入者の特定情報を前記販売者から検索する段階であって、前記購入者の特定情報は、前記販売者への少なくとも１つの未払い請求書と、少なくとも１つの購入者特定のビジネス規則とを含む、検索段階と、
複数の購入者用に使用するための少なくとも１つのグローバルなビジネス規則を検索する段階であって、前記少なくとも１つのグローバルなビジネス規則及び前記少なくとも１つの購入者特定のビジネス規則の少なくとも１つは、パーセンテージを使用し、及び、前記少なくとも１つのグローバルなビジネス規則及び前記少なくとも１つの購入者特定のビジネス規則の少なくとも１つは、数的な閾値差を使用する、検索段階と、
前記支払と前記少なくとも１つの請求書とを比較するのに、前記少なくとも１つの購入者特定のビジネス規則及び前記少なくとも１つのグローバルなビジネス規則を使用する段階と、
前記少なくとも１つの購入者特定のビジネス規則及び前記少なくとも１つのグローバルなビジネス規則の基準内で、前記支払いが前記少なくとも１つの未払いの請求書とマッチングしたときに、前記支払を処理する段階と、備える方法。
【請求項８１】
前記少なくとも１つの購入者特定のビジネス規則は、前記請求書に対する購入者への特定の値引きを含む請求項８０に記載の方法。
【請求項８２】
前記少なくとも１つの購入者特定のビジネス規則は、前記請求書の総額よりも少ない支払が前記購入者に許容される購入者への特定な決定を含む請求項８０に記載の方法。
【請求項８３】
前記受領段階の前に前記請求書に関する調整を受領する段階と、
前記ビジネス規則を使用する前に前記請求書に前記調整を使用する段階と、をさらに含む請求項８０に記載の方法。
【請求項８４】
前記ビジネス規則の基準内で、前記支払が前記少なくとも１つの未払い請求書にマッチングしないとき、前記支払を販売調整文書生成器に送信する段階を、さらに含む請求項８０に記載の方法。
【請求項８５】
前記支払が前記少なくとも１つの未払い請求書にマッチングしないことを前記販売者に通知するために、登録データを前記販売者に送信する段階を、さらに含む請求項８４に記載の方法。
【請求項８６】
前記少なくとも１つの購入者特定のビジネス規則は、前記販売者によって設定される請求項８０に記載の方法。
【請求項８７】
前記少なくとも１つのグローバルなビジネス規則は、前記販売者によって設定される請求項８０に記載の方法。
【請求項８８】
前記少なくとも１つの購入者特定のビジネス規則及び前記少なくとも１つのグローバルなビジネス規則は、共に前記販売者によって設定される請求項８０に記載の方法。
【請求項８９】
前記少なくとも１つの購入者特定のビジネス規則は、複数の異なる購入者に対して前記販売者によって確定される、複数の異なる購入者特定のビジネス規則を含む請求項８０に記載の方法。
【請求項９０】
前記少なくとも１つのグローバルなビジネス規則は、前記販売者によって設定される請求項８９に記載の方法。
【請求項９１】
前記処理が，アプリケーション・サーバープロバイダー（ＡＳＰ）によって実行される請求項８０に記載の方法。
【請求項９２】
前記処理が、金融機関でのソフトウェアアプリケーションで実行される請求項８０に記載の方法。
【請求項９３】
前記ソフトウェアアプリケーションは、ウェブベースである請求項９２に記載の方法。
【請求項９４】
前記処理が、前記購入者及び前記販売者以外の他の団体にアウトソースされたソフトウェアアプリケーションで実行される請求項８０に記載の方法。
【請求項９５】
前記ソフトウェアアプリケーションは、ウェブベースである請求項９４に記載の方法。
【請求項９６】
調整を自動的に処理するシステムであって、
購入者からの販売者への支払いを受領し、かつ前記販売者から前記購入者の購入者特定情報を受領する、ビジネスデータフィルタを含み、
ここで、前記購入者特定情報は、少なくとも１つの前記販売者への未払い請求書と、少なくとも１つの購入者特定のビジネス規則とを含み、
前記ビジネスデータフィルタは、複数の購入者用に使用するための少なくとも１つのグローバルなビジネス規則をまた受領し、
前記少なくとも１つのグローバルなビジネス規則及び前記少なくとも１つの購入者特定のビジネス規則の少なくとも１つは、パーセンテージを使用し、及び
前記少なくとも１つのグローバルなビジネス規則及び前記少なくとも１つの購入者特定のビジネス規則の少なくとも１つは、数的な閾値差を使用し、
前記ビジネスデータフィルタは、前記少なくとも１つの購入者特定のビジネス規則及び前記少なくとも１つのグローバルなビジネス規則を、前記支払と前記少なくとも１つの未払いの請求書とを比較するのに使用し、前記少なくとも１つの購入者特定のビジネス規則及び前記少なくとも１つのグローバルなビジネス規則の基準内で、前記支払いが前記少なくとも１つの未払いの請求書とマッチングしたときに、前記支払いを処理する、システム。
【請求項９７】
前記少なくとも１つの購入者特定のビジネス規則は、請求書に対する購入者への特定の値引きを含む請求項９６に記載のシステム。
【請求項９８】
前記少なくとも１つの購入者特定のビジネス規則は、前記請求書の総額よりも少ない支払が前記購入者に許容される購入者への特定な決定を含む請求項９６に記載のシステム。
【請求項９９】
前記ビジネスデータフィルタは、請求書に関する調整を受領し、前記比較の前に前記請求書に前記調整を使用する請求項９６に記載のシステム。
【請求項１００】
前記ビジネスデータフィルタは、前記ビジネス規則の基準内で、前記支払が前記少なくとも１つの未払請求書にマッチングしないとき、前記支払を販売調整文書生成器に送信する請求項９６に記載のシステム。
【請求項１０１】
前記ビジネスデータフィルタは、前記支払が前記少なくとも１つの未払請求書にマッチングしないことを前記販売者に通知するために、前記販売者に登録データを送信する請求項１００に記載のシステム。
【請求項１０２】
前記少なくとも１つの購入者特定のビジネス規則は、前記販売者によって設定される請求項９６に記載のシステム。
【請求項１０３】
前記少なくとも１つのグローバルなビジネス規則は、前記販売者によって設定される請求項９６に記載のシステム。
【請求項１０４】
前記少なくとも１つの購入者の特定のビジネス及び規則前記少なくとも１つのグローバルなビジネス規則は、共に前記販売者によって設定される請求項９６に記載のシステム。
【請求項１０５】
前記少なくとも１つの購入者特定のビジネス規則は、複数の異なる購入者に対して前記販売者によって確定される、複数の異なる購入者特定のビジネス規則を含む請求項９６に記載のシステム。
【請求項１０６】
前記少なくとも１つのグローバルなビジネス規則は、前記販売者によって設定される請求項１０５に記載のシステム。
【請求項１０７】
前記処理が，アプリケーション・サーバープロバイダー（ＡＳＰ）によって実行される請求項９６に記載のシステム。
【請求項１０８】
前記処理が、金融機関でのソフトウェアアプリケーションで実行される請求項９６に記載のシステム。
【請求項１０９】
前記ソフトウェアアプリケーションは、ウェブベースである請求項１０８に記載のシステム。
【請求項１１０】
前記処理が、前記購入者及び前記販売者以外の他の団体にアウトソースされたソフトウェアアプリケーションで実行される請求項９６に記載のシステム。
【請求項１１１】
前記ソフトウェアアプリケーションは、ウェブベースである請求項１１０に記載のシステム。
【請求項１１２】
購入者から販売者に行われる支払に関する調整を自動的に処理するシステムであって、
購入者の支払調整を処理するときに使用するように設定された購入者特定のビジネス規則のセットを含むデータソースと、
前記販売者から前記購入者の未払い請求書を受領し、かつ購入者からの支払を受領する、ビジネスデータフィルタであって、前記支払は調整を必要としているビジネスデータフィルタと、を含み、
ここで、前記ビジネスデータフィルタは、複数の購入者用に使用するための少なくとも１つのグローバルなビジネス規則を含み、
前記少なくとも１つのグローバルなビジネス規則及び前記少なくとも１つの購入者特定のビジネス規則の少なくとも１つは、パーセンテージを使用し、及び
前記少なくとも１つのグローバルなビジネス規則及び前記少なくとも１つの購入者特定のビジネス規則の少なくとも１つは、数的な閾値差を使用し、
前記ビジネスデータフィルタは、前記データソースから前記購入者特定のビジネス規則のセットを受領し、前記購入者特定のビジネス規則のセット及び前記少なくとも１つのグローバルなビジネス規則を使用して、前記支払を未払い請求書にマッチングさせることにより、前記支払を処理する、システム。
【請求項１１３】
前記購入者特定のビジネス規則のセットは、請求書に対する購入者への特定の値引きを含む請求項１１２に記載のシステム。
【請求項１１４】
前記購入者特定のビジネス規則のセットは、前記請求書の総額よりも少ない支払が前記購入者に許容される購入者への特定な決定を含む請求項１１２に記載のシステム。
【請求項１１５】
前記ビジネスデータフィルタは、請求書に関する調整を受領し、前記支払を処理する前に、前記請求書に前記調整を使用する請求項１１２に記載のシステム。
【請求項１１６】
前記ビジネスデータフィルタは、前記ビジネス規則の基準内で、前記支払が前記少なくとも１つの未払請求書にマッチングしないとき、前記支払を販売調整文書生成器に送信する請求項１１２に記載のシステム。
【請求項１１７】
前記ビジネスデータフィルタは、前記支払が前記少なくとも１つの未払請求書にマッチングしないことを前記販売者に通知するために、前記販売者に登録データを送信する請求項１１６に記載のシステム。
【請求項１１８】
前記購入者特定のビジネス規則のセットの少なくとも１つは、前記販売者によって設定される請求項１１２に記載のシステム。
【請求項１１９】
前記少なくとも１つのグローバルなビジネス規則は、前記販売者によって設定される請求項１１２に記載のシステム。
【請求項１２０】
前記少なくとも１つのグローバルなビジネス規則及び前記購入者特定のビジネス規則のセットの少なくとも１つは、共に前記販売者によって設定される請求項１１２に記載のシステム。
【請求項１２１】
前記処理が，アプリケーション・サーバープロバイダー（ＡＳＰ）によって実行される請求項１１２に記載のシステム。
【請求項１２２】
前記処理が、金融機関でのソフトウェアアプリケーションで実行される請求項１１２に記載のシステム。
【請求項１２３】
前記ソフトウェアアプリケーションは、ウェブベースである請求項１２２に記載のシステム。
【請求項１２４】
前記処理が、前記購入者及び前記販売者以外の他の団体にアウトソースされたソフトウェアアプリケーションで実行される請求項１１２に記載のシステム。
【請求項１２５】
前記ソフトウェアアプリケーションは、ウェブベースである請求項１２４に記載のシステム。
【請求項１２６】
前記データソースは、前記販売者に置かれる請求項１１２に記載のシステム。